(57)【要約】【課題】扉の本体への着脱時の作業性が良く、扉の開閉中も本体側と扉側との電気接続状態を維持し得る構成の遊技機を提供する。【解決手段】ガラス扉２０の背面側に、ヒンジ回動軸Ｃを中心としてガラス扉２０に対し相対的に揺動可能な扉側コネクタ部材アッセンブリ６０を設置する。この扉側コネクタ部材アッセンブリ６０は、ガラス扉２０を本体に装着した状態において、本体側上部コネクタ部材と嵌合して電気接続される扉側上部コネクタ部材６１と、本体側下部コネクタ部材５２と嵌合して電気接続される扉側下部コネクタ部材６２を備えており、ガラス扉２０を本体に装着した状態においては、扉側コネクタ部材アッセンブリ６０が本体と一体となり、ガラス扉２０の開閉時においてもガラス扉２０側と本体側との電気接続状態が維持される。【選択図】図７
2014155665.tif 000002
【特許請求の範囲】
【請求項１】
本体と、扉と、前記本体に設けられた本体側ヒンジ部材と、前記扉に設けられた扉側ヒ
ンジ部材と、前記本体側に設けられた本体側コネクタ部材と、前記扉側に設けられた扉側
コネクタ部材と、を備え、
前記本体および前記扉は、前記本体側ヒンジ部材と前記扉側ヒンジ部材とのヒンジ結合
によりヒンジ回動軸を中心として相対的に揺動開閉可能に互いに連結、および前記ヒンジ
結合の解除により互いに分離可能に構成され、
前記本体側コネクタ部材および前記扉側コネクタ部材は、前記本体と前記扉とが連結し
た状態において互いに嵌合電気接続し、
前記扉側コネクタ部材は、前記ヒンジ回動軸を中心として前記扉とは別に揺動可能に前
記扉側に軸支され、前記本体および前記扉の相対的な揺動開閉中は前記本体側コネクタ部
材と共に前記本体と一体に揺動する、ことを特徴とする遊技機。
【請求項２】
前記本体側コネクタ部材と前記扉側コネクタ部材は、前記本体と分離した前記扉を、前
記ヒンジ結合が可能となる基準位置に所定方向から移動させた際に互いに嵌合電気接続し
、前記基準位置の前記扉を、前記基準位置から離れるように移動させた際に互いに離脱電
気接続解除する、ことを特徴とする請求項１に記載の遊技機。
【請求項３】
前記扉側コネクタ部材は、前記扉側ヒンジ部材により基端部が軸支された揺動アームと
、前記揺動アームの先端部に配設された扉側コネクタ基部とを有してなり、
前記揺動アームは、前記扉側コネクタ基部に電気接続された扉側配線を保持可能に構成
されている、ことを特徴とする請求項１または２に記載の遊技機。
【請求項４】
前記本体には、前記本体と前記扉とを連結する際に前記本体内に進入する前記扉側コネ
クタ部材を前記本体側コネクタ部材に導くガイドが設けられている、ことを特徴とする請
求項３に記載の遊技機。
【請求項５】
本体と、扉と、前記本体に設けられた本体側ヒンジ部材と、前記扉に設けられた扉側ヒ
ンジ部材と、前記本体側に設けられた本体側コネクタ部材と、前記扉側に設けられた扉側
コネクタ部材と、を備え、
前記本体および前記扉は、前記本体側ヒンジ部材と前記扉側ヒンジ部材とのヒンジ結合
によりヒンジ回動軸を中心として相対的に揺動開閉可能に互いに連結、および前記ヒンジ
結合の解除により互いに分離可能に構成され、
前記本体側コネクタ部材および前記扉側コネクタ部材は、前記本体と前記扉とが連結し
た状態において互いに嵌合電気接続し、
前記本体側コネクタ部材は、前記ヒンジ回動軸を中心として前記本体とは別に揺動可能
に前記本体側に軸支され、前記本体および前記扉の相対的な揺動開閉中は前記扉側コネク
タ部材と共に前記扉と一体に揺動する、ことを特徴とする遊技機。
【発明の詳細な説明】
【技術分野】
【０００１】
本発明は、遊技機本体に揺動開閉可能に連結されるとともに遊技機本体と電気接続され
る扉を備えた遊技機に関する。
【背景技術】
【０００２】
遊技機の一代表例であるぱちんこ遊技機では一般に、遊技領域を形成する遊技盤が設け
られる遊技機本体に、遊技領域を臨ませる窓を有するガラス扉がヒンジ機構を介して揺動
開閉可能に連結されている。また、本体に配設された制御基板等の電気部材とガラス扉に
配設された発射ハンドル等の電気部材とが、ワイヤハーネス等の配線を介して互いに電気
接続され、ぱちんこ遊技に関する各種の制御を実行し得るように構成されている。
【０００３】
本体側とガラス扉側との電気接続は、一般にコネクタを介して行われる。従来、遊技機
本体の、ガラス扉と対向する面の所定位置に本体側コネクタ部材を設けるとともに、ガラ
ス扉の、閉時に本体側コネクタ部材と対向し得る位置に扉側コネクタ部材を設け、ガラス
扉を閉じた状態において、両コネクタ部材（フローティングタイプのドロワーコネクタ部
材）が互いに嵌合して電気接続されるように構成したぱちんこ遊技機が知られている（例
えば、下記特許文献１、２を参照）。また、光通信における発光部と受光部を両コネクタ
部材の代わりに用いて、非接触で本体側とガラス扉側との電気接続（光接続）を行うよう
に構成したぱちんこ遊技機の提案もなされている。
【先行技術文献】
【特許文献】
【０００４】
【特許文献１】特開２０１２−１７９４７７号公報
【特許文献２】特開２００８−２５９５３３号公報
【発明の概要】
【発明が解決しようとする課題】
【０００５】
上記公報記載のぱちんこ遊技機は、ガラス扉を開閉することによって自動的に本体側コ
ネクタ部材と扉側コネクタ部材が嵌脱されるので、ガラス扉を遊技機本体に着脱する際に
は、両コネクタ部材の嵌脱作業を行う必要がない。このため、ガラス扉の着脱時の作業性
が良いという利点がある。しかし、ガラス扉を開けた状態では、本体側とガラス扉側との
電気接続が解除されてしまうので、ガラス扉側のスピーカや電飾部材等を使用することが
困難となる。
【０００６】
このため、従来一般的なぱちんこ遊技機では、本体側とガラス扉側とを電気接続するた
めの配線（両コネクタ部材に接続される各配線のうち少なくとも一方の配線）を、ガラス
扉の開閉中の変位量に対応可能な余裕のある長さに設定して、ガラス扉の開閉中も本体側
とガラス扉側との電気接続状態を維持し得るようにしている。しかし、このような構成の
ものでは、ガラス扉を遊技機本体に着脱する際に、両コネクタ部材の嵌脱作業を着脱作業
とは別に行う必要があるため、ガラス扉を着脱する際の作業性が良くないという課題があ
る。特に、ガラス扉を本体側から取り外した状態で遊技盤のゲージ調整等を行うようにす
る場合は、必然的にガラス扉を着脱する機会が多くなるので、ガラス扉着脱時の作業性が
特に問題となる。
【０００７】
本発明は、このような事情に鑑みてなされたものであり、扉の本体への着脱時の作業性
が良く、扉の開閉中も本体側と扉側との電気接続状態を維持し得る構成の遊技機を提供す
ることを目的とする。
【課題を解決するための手段】
【０００８】
このような目的達成のために、本発明に係る遊技機は、本体（例えば、前枠１２）と、
扉（例えば、ガラス扉２０）と、本体に設けられた本体側ヒンジ部材（例えば、前枠上部
第２ヒンジプレート３４及び前枠下部第２ヒンジプレート４３）と、扉に設けられた扉側
ヒンジ部材（例えば、ガラス扉上部ヒンジプレート３３及びガラス扉下部ヒンジプレート
４４）と、本体側に設けられた本体側コネクタ部材（例えば、本体側上部コネクタ部材５
１及び本体側下部コネクタ部材５２）と、扉側に設けられた扉側コネクタ部材（例えば、
扉側上部コネクタ部材６１及び扉側下部コネクタ部材６２）と、を備え、本体および扉は
、本体側ヒンジ部材と扉側ヒンジ部材とのヒンジ結合によりヒンジ回動軸を中心として相
対的に揺動開閉可能に互いに連結、およびヒンジ結合の解除により互いに分離可能に構成
され、本体側コネクタ部材および扉側コネクタ部材は、本体と扉とが連結した状態におい
て互いに嵌合電気接続し、扉側コネクタ部材は、ヒンジ回動軸を中心として扉とは別に揺
動可能に扉側に軸支され、本体および扉の相対的な揺動開閉中は本体側コネクタ部材と共
に本体と一体に揺動するように構成される。
【発明の効果】
【０００９】
本発明によれば、扉の本体への着脱時の作業性が良く、扉の開閉中も本体側と扉側との
電気接続状態を維持することが可能となる。
【図面の簡単な説明】
【００１０】
【図１】第１実施形態に係るぱちんこ遊技機の、ガラス扉が閉じた状態の正面側斜視図である。
【図２】第１実施形態に係るぱちんこ遊技機の、ガラス扉が開いた状態の正面側斜視図である。
【図３】第１実施形態における上側ヒンジ機構の拡大斜視図である。
【図４】第１実施形態における下側ヒンジ機構の拡大斜視図である。
【図５】第１実施形態に係るぱちんこ遊技機の、ガラス扉が取り外された状態の正面側斜視図である。
【図６】第１実施形態におけるガラス扉の、扉側コネクタ部材アッセンブリがガラス扉に対して揺動していない状態を示す背面側斜視図である。
【図７】第１実施形態におけるガラス扉の、扉側コネクタ部材アッセンブリがガラス扉に対して揺動した状態を示す背面側斜視図である。
【図８】第１実施形態における下側ヒンジ機構の一部詳細構成を示す図である。
【図９】第１実施形態における下側ヒンジ機構の、ガラス扉背面側から見た拡大図である。
【図１０】第１実施形態における本体側とガラス扉側との電気接続状態を示す模式図である。
【図１１】第２実施形態に係るぱちんこ遊技機の平面図である。
【図１２】第２実施形態におけるガラス扉の平面図である。
【発明を実施するための形態】
【００１１】
以下、遊技機の代表例であるぱちんこ遊技機に本発明を適用した場合の実施形態につい
て、上記図面を参照して説明する。
【００１２】
〈第１実施形態〉
［ぱちんこ遊技機の全体構成］
本実施形態に係るぱちんこ遊技機ＰＭ１は、図１及び図２に示すように、大別すると、
遊技盤等の主要な遊技機構成部材（図示略）が配置される本体１０と、不図示の遊技盤を
臨む窓開口部Ｗが形成されたガラス扉２０と、これらの正面左側縁部に配設された上下の
ヒンジ機構（上側ヒンジ機構３０及び下側ヒンジ機構４０）とから構成される。
【００１３】
上記本体１０は、矩形枠状に形成された縦長の外枠１１と、これに合わせたサイズの矩
形枠状に形成された前枠１２（図２を参照）と、前枠１２よりも幾分小型の矩形枠状に形
成された枠体をベースとしてなる裏セット盤（図示略）とから構成され、前枠１２に遊技
盤が着脱可能に配置される。図示を省略するが遊技盤は、ルータ加工等を施した矩形状の
積層合板に、所定の図柄が印刷されたセルを貼り付けて成型される化粧板を基板とし、上
下のレール飾りに囲まれて略円形状の遊技領域が形成される。遊技領域には、多数本の遊
技釘、風車、中央飾り、遊技の進行状況に応じて所定の画像が表示される演出表示装置、
各種入賞口などの遊技構成部品が設けられ、遊技領域の下端部には入賞口に落入すること
なく落下した遊技球を裏面側に排出するためのアウト口が遊技盤を前後に貫通して形成さ
れている。
【００１４】
図１〜図９では図示を省略しているが、遊技盤の背面側には、ぱちんこ遊技機ＰＭ１の
作動を統括的に制御する主制御基板や、遊技展開に応じた画像表示、効果照明、効果音等
の演出全般の制御を行う演出制御基板等が取り付けられ、裏セット盤の背面側には、遊技
球の発射及び払い出しに関する制御を行う払出制御基板や、遊技施設側から受電して各種
制御基板や電気・電子部品に電力を供給する電源基板１１０（図１０を参照）等が取り付
けられている。なお、簡便化のため、以下適宜、上述の主制御基板、演出制御基板、払出
制御基板等の各制御基板を総称して制御基板１００（図１０を参照）と称する。
【００１５】
また、裏セット盤の各部には、多数個の遊技球を貯留する球貯留タンク、球貯留タンク
から緩やかな下り傾斜を有して延びるタンクレール、タンクレールの端部に繋がり下方に
延びる球供給通路部材、球供給通路部材により導かれた遊技球を払い出す賞球払出ユニッ
ト、賞球払出ユニットから払い出された遊技球を後述の上球皿に導くための賞球通路部材
など（何れも図示を省略）が設けられている。
【００１６】
上記ガラス扉２０の正面側には、図１〜図９では図示を省略しているが、遊技の展開状
態に応じて効果音を発生させる一対のスピーカ３１０，３２０（図１０を参照）が上部に
配置されるとともに、発光ダイオード（ＬＥＤ）等からなる電飾装置（図１０では便宜的
に上部電飾装置３３０と下部電飾装置３４０とに分けて記載）が窓開口部Ｗの周囲に配置
され、さらに、遊技球を貯留する上下の球皿（上球皿及び下球皿）や遊技球の発射操作を
行う発射ハンドル３５０（図１０を参照）が下部に配置されている。また、窓開口部Ｗに
は、複層ガラス等からなる透明な窓板が取り付けられ、この窓板を通して遊技盤正面の遊
技領域を視認可能に臨ませるようになっている。
【００１７】
上記上側ヒンジ機構３０は、図３に示すように、上方からこの順に並ぶ、外枠１１に固
設された外枠上部ヒンジプレート３１、前枠１２に固設された前枠上部第１ヒンジプレー
ト３２、ガラス扉２０に固設されたガラス扉上部ヒンジプレート３３、前枠１２に固設さ
れた前枠上部第２ヒンジプレート３４、及び前枠上部第２ヒンジプレート３４に回動可能
に軸支された上部係止プレート３５と、上記外枠上部ヒンジプレート３１と上記前枠上部
第１ヒンジプレート３２とを、ヒンジ回動軸Ｃを中心として相対的に揺動可能に連結する
上部第１ヒンジピン３６、及び上記ガラス扉上部ヒンジプレート３３と上記前枠上部第２
ヒンジプレート３４とを、同じヒンジ回動軸Ｃを中心として相対的に揺動可能に連結する
上部第２ヒンジピン３７と、を備えて構成されている。
【００１８】
上記下側ヒンジ機構４０は、図４に示すように、下方からこの順に並ぶ、外枠１１に固
設された外枠下部ヒンジプレート４１、及び前枠１２に固設された前枠下部第１ヒンジプ
レート４２と、その上方位置において上方からこの順に並ぶ、ガラス扉２０に固設された
ガラス扉下部ヒンジプレート４３、前枠１２に固設された前枠下部第２ヒンジプレート４
４、及び前枠下部第２ヒンジプレート４４に回動可能に軸支された下部係止プレート４５
と、上記外枠下部ヒンジプレート４１と上記前枠下部第１ヒンジプレート４２とを、上記
上側ヒンジ機構３０と共通のヒンジ回動軸Ｃを中心として相対的に揺動可能に連結する下
部第１ヒンジピン４６、及び前枠下部第２ヒンジプレート４３とガラス扉下部ヒンジプレ
ート４４とを、同じヒンジ回動軸Ｃを中心として相対的に揺動可能に連結する下部第２ヒ
ンジピン４７と、を備えて構成されている。
【００１９】
上側ヒンジ機構３０における外枠上部ヒンジプレート３１と前枠上部第１ヒンジプレー
ト３２とが上部第１ヒンジピン３６を介してヒンジ結合され、かつ下側ヒンジ機構４０に
おける外枠下部ヒンジプレート４１と前枠下部第１ヒンジプレート４２とが下部第１ヒン
ジピン４６を介してヒンジ結合されることにより、前枠１２が外枠１１に対し揺動開閉可
能に取り付けられるようになっている。また、上側ヒンジ機構３０におけるガラス扉上部
ヒンジプレート３３と前枠上部第２ヒンジプレート３４とが上部第２ヒンジピン３７を介
してヒンジ結合され、かつ下側ヒンジ機構４０における前枠下部第２ヒンジプレート４３
とガラス扉下部ヒンジプレート４４とが下部第２ヒンジピン４７を介してヒンジ結合され
ることにより、ガラス扉２０が前枠１２に対し揺動開閉可能に取り付けられるようになっ
ている。なお、不図示の裏セット盤は、別の上下のヒンジ機構（図示略）により前枠１２
に対し揺動開閉可能に取り付けられる。
【００２０】
以上の構成を有するぱちんこ遊技機ＰＭは、外枠１１が遊技施設の遊技島（設置枠台）
に固定設置され、前枠１２、ガラス扉２０等が閉鎖施錠された状態で遊技に供され、上球
皿に遊技球を貯留させて発射ハンドル３５０（図１０を参照）を回動操作することにより
遊技が開始される。発射ハンドル３５０が回動操作されると、上球皿に貯留された遊技球
が、ガラス扉２０の背面側に配設される球送り機構によって１球ずつ発射機構に送り出さ
れ、発射機構により遊技領域に打ち出されて、以降パチンコゲームが展開される。
【００２１】
［ぱちんこ遊技機の特徴構成］
次に、本実施形態の特徴構成について説明する。
《本体とガラス扉との電気接続構造》
まず、本体１０とガラス扉２０との電気接続構造を説明する。図５に示すように、前枠
１２の正面側左側縁上部及び正面側左側縁下部には、本体側上部コネクタ部材５１及び本
体側下部コネクタ部材５２がそれぞれ正面を向くように設けられている。本体側上部コネ
クタ部材５１（詳しくは、その端子）は、前枠１２の背面側（本体側上部コネクタ部材５
１の後方近傍位置）に設置された前枠上部中継基板１５０（図５では図示を省略。図１０
を参照）に、不図示のワイヤハーネス（コネクタケーブル）等を介して電気接続されてお
り、本体側下部コネクタ部材５２は、前枠１２の背面側（本体側上部コネクタ部材５２の
後方近傍位置）に設置された前枠下部中継基板１６０（図５では図示を省略。図１０を参
照）に、不図示のワイヤハーネス等を介して電気接続されている。また、前枠上部中継基
板１５０及び前枠下部中継基板１６０は、本体１０側に設置された制御基板１００（図１
０を参照）に、不図示のワイヤハーネス等を介して電気接続されている。
【００２２】
一方、図６及び図７に示すように、ガラス扉２０の背面側には、扉側コネクタ部材アッ
センブリ６０がヒンジ回動軸Ｃを中心としてガラス扉２０に対し相対的に揺動可能に設置
されている。この扉側コネクタ部材アッセンブリ６０は、ガラス扉２０を本体１０に装着
した状態において、上記本体側上部コネクタ部材５１と嵌合して電気接続される扉側上部
コネクタ部材６１と、上記本体側下部コネクタ部材５２と嵌合して電気接続される扉側下
部コネクタ部材６２と、これらを保持する揺動保持部材６３とを備えてなる。
【００２３】
揺動保持部材６３は、図７（図３も併せて参照）に示すように、上述のガラス扉上部ヒ
ンジプレート３３に上部第２ヒンジピン３７を介してヒンジ結合された上端プレート部６
３ａと、図９（図４も併せて参照）に示すように、上述のガラス扉下部ヒンジプレート４
３に下部第２ヒンジピン４７を介してヒンジ結合された下端プレート部６３ｂと、図７に
示すように、上端プレート部６３ａと下端プレート部６３ｂとを一体に連結する、ヒンジ
回動軸Ｃに対し平行に延びる連結プレート部６３ｃとから構成されている。
【００２４】
扉側上部コネクタ部材６１及び扉側下部コネクタ部材６２は、連結プレート部６３ｃの
背面側に、上下方向に並ぶように配設されており、揺動保持部材６３がガラス扉２０に対
し相対的に揺動することにより、揺動保持部材６３と一体にヒンジ回動軸Ｃを中心として
ガラス扉２０に対し相対的に揺動するようになっている。図７に示すように、連結プレー
ト部６３ｃの、扉側上部コネクタ部材６１及び扉側下部コネクタ部材６２がそれぞれ配設
される位置には、開口部６３ｄ，６３ｅが形成されており、扉側上部コネクタ部材６１及
び扉側下部コネクタ部材６２にそれぞれ電気接続されるワイヤハーネス７１，７２（図７
等では簡便的に１本の曲線で示す）を、開口部６３ｄ，６３ｅを通してガラス扉２０側に
引き出せるようになっている。
【００２５】
また、図６及び図７に示すように、ガラス扉２０の背面側右側縁上部及び背面側右側縁
下部には、ガラス扉上部中継基板２５０及びガラス扉下部中継基板２６０がそれぞれ配設
されている。図１０に示すように、ガラス扉上部中継基板２５０は、ガラス扉２０の正面
側上部に設けられるスピーカ３１０，３２０や上部電飾装置３３０等と不図示のワイヤハ
ーネス等を介して電気接続されており、ガラス扉下部中継基板２６０は、ガラス扉の正面
側下部に設けられる下部電飾装置３４０や発射ハンドル３５０等スピーカ３１０，３２０
等と不図示のワイヤハーネス等を介して電気接続されている。
【００２６】
図６及び図７に示すように、扉側上部コネクタ部材６１はワイヤハーネス７１等を介し
てガラス扉上部中継基板２５０と電気接続されており、扉側下部コネクタ部材６２はワイ
ヤハーネス７２等を介してガラス扉下部中継基板２６０と電気接続されている。なお、ワ
イヤハーネス７１，７２は、ガラス扉２０に対する扉側コネクタ部材アッセンブリ６０の
揺動角度が最大となる、図７に示す位置（不図示のストッパ機構によりそれ以上の揺動が
規制される位置で、以下、適宜「揺動角最大位置」と称する）において、扉側上部コネク
タ部材６１とガラス扉上部中継基板２５０との電気接続及び扉側下部コネクタ部材６２と
ガラス扉下部中継基板２６０との電気接続を維持し得る長さを有している。このため、ワ
イヤハーネス７１，７２は、ガラス扉２０に対する扉側コネクタ部材アッセンブリ６０の
揺動角度が最小となる、図６に示す位置（以下、適宜「揺動角最小位置」と称する）にお
いては、扉側上部コネクタ部材６１とガラス扉上部中継基板２５０との間、及び扉側下部
コネクタ部材６２とガラス扉下部中継基板２６０との間において、それぞれの中央部分が
少し垂れ下がった状態で位置するようになっている。
【００２７】
《ガラス扉の係止構造》
次に、ガラス扉２０の係止構造について説明する。図８に示すように、前枠２０の正面
側左側縁下部には前枠下部第２ヒンジプレート４４が固設されており、この前枠下部第２
ヒンジプレート４４の下面側には、下部係止プレート４５が設けられている。前枠下部第
２ヒンジプレート４４の中央部には、上下方向に貫通する円筒状の係合孔部４４１が形成
されており、下部係止プレート４５の上面中央部には、上方に突出して上記係合孔部４４
１に対し回動可能に係合する円柱状の係合ピン部４５１が一体に形成されている。
【００２８】
また、前枠下部第２ヒンジプレート４４の先端部には、前後方向（図中の矢線Ａ，Ｂの
方向）に延び前方に開放されたＵ字状の溝部４４２が形成されており、下部係止プレート
４５の先端側には、左右方向に延び左方に開放されたコ字状の溝部４５２を有する爪部４
５３が形成されている。下部係止プレート４５は、上述の係合孔部４４１と係合ピン部４
５１との係合により、係合孔部４４１及び係合ピン部４５１の中心軸Ｄを中心として回動
可能に、前枠下部第２ヒンジプレート４４の下面側に軸支されている。下部係止プレート
４５の回動範囲は、図示せぬストッパ部材により規制されており、前枠下部第２ヒンジプ
レート４４の溝部４４２と下部係止プレート４５の溝部４５２及び爪部が上下方向に重な
る、図８に示す位置（以下、適宜「係止位置」と称する）と、下部係止プレート４５が図
中左周りに回動して爪部４５３が前枠下部第２ヒンジプレート４４の溝部４４２と重なら
なくなる位置（以下、適宜「係止解除位置」と称する）との間に制限されている。
【００２９】
さらに、下部係止プレート４５は、不図示の付勢部材による付勢力によって、通常は上
記係止位置に留まるように構成されており、また、下部係止プレート４５の爪部４５３の
前端面４５３ａは、係止位置において、前後方向に対して少し左を向くように傾斜が付け
られている。これにより下部係止プレート４５は、ガラス扉２０側の下部第２ヒンジピン
４７（図９を参照）が図８の矢線Ａ方向から前枠下部第２ヒンジプレート４４の溝部４４
２に進入する際に、この下部第２ヒンジピン４７と上記前端面４５３ａが摺接することに
よって、上記付勢力に抗して係止解除位置に回動し、さらに下部第２ヒンジピン４７が奥
に進入することによって、上記付勢力により係止位置に回動復帰して下部第２ヒンジピン
４７を溝部４４２内の奥側の位置において係止するようになっている。
【００３０】
図３に示す上側ヒンジ機構３０の前枠上部第２ヒンジプレート３４及び上部係止プレー
ト３５により、ガラス扉２０側の上部第２ヒンジピン３７を係止する構造は、上述した下
側のものと同様であるので詳細な説明は省略する。
【００３１】
［特徴構成による作用］
次に、ガラス扉２０と本体１０とのヒンジ機構を介しての着脱及びコネクタ部材を介し
ての電気接続、接続解除の作用について説明する。
ガラス扉２０を本体１０（前枠２０）に装着する場合には、まず、図７に示すように、
扉側コネクタ部材アッセンブリ６０を、ガラス扉２０に対する揺動角度が最大となる揺動
角最大位置に保持する（作業する人が手で保持してもよい）。次に、扉側上部コネクタ部
材６１及び扉側下部コネクタ部材６２と、本体側上部コネクタ部材５１及び本体側下部コ
ネクタ部材５２とをそれぞれ対向させながら、ガラス扉２０側の上部第２ヒンジピン３７
及び下部第２ヒンジピン４７（図９を参照）が、本体１０側の前枠上部第２ヒンジプレー
ト３４の溝部（図示略）及び前枠下部第２ヒンジプレート４４の溝部４４２（図８を参照
）にそれぞれ進入するように、ガラス扉２０を後方（本体１０に近づく方向）に移動させ
る。
【００３２】
ガラス扉２０側の両ヒンジピン３７，４７を本体１０側の両第２ヒンジプレート３４，
４４の各溝部内にそれぞれ進入させると、進入させる時の押圧力により上部係止プレート
３５及び下部係止プレート４５が係止位置から係止解除位置に回動して両ヒンジピン３７
，４７の進入を許容し、さらに、両ヒンジピン３７，４７を各溝部の奥へと進入させるこ
とにより両係止プレート３５，４５が係止解除位置に回動復帰して両ヒンジピン３７，４
７をそれぞれ係止する。これにより、上側ヒンジ機構３０及び下側ヒンジ機構４０による
ガラス扉２０の本体１０に対するヒンジ結合が完了し、ガラス扉２０が本体１０に装着（
連結）される。
【００３３】
また、このとき同時に、扉側上部コネクタ部材６１及び扉側下部コネクタ部材６２と、
本体側上部コネクタ部材５１及び本体側下部コネクタ部材５２との電気接続も行われる。
すなわち、ガラス扉２０側の両ヒンジピン３７，４７を本体１０側の両溝部内にそれぞれ
進入させる際に、ガラス扉２０側の両コネクタ部材６１，６２が本体１０側の両コネクタ
部材５１，５２内にそれぞれ進入し、さらに、両ヒンジピン３７，４７を本体１０側の両
係止プレート３５，４５により係止される位置まで進入させることにより、ガラス扉２０
側の両コネクタ部材６１，６２と本体１０側の両コネクタ部材５１，５２とが互いに嵌合
し、各々の端子が互いに接触することにより電気接続が完了する。
【００３４】
ガラス扉２０を本体１０に装着した状態（電気接続した状態）においては、扉側コネク
タ部材アッセンブリ６０が本体１０（前枠１２）と一体（ガラス扉２０に対しては相対的
に揺動可能）となり、ガラス扉２０を開閉しても扉側コネクタ部材アッセンブリ６０の本
体１０に対する相対位置は変わらず、ガラス扉２０側の両コネクタ部材６１，６２と本体
１０側の両コネクタ部材５１，５２との電気接続状態が維持される。
【００３５】
一方、装着したガラス扉２０を本体１０から離脱する場合には、まず、ガラス扉２０を
全開状態にする。このとき、扉側コネクタ部材アッセンブリ６０は、ガラス扉２０に対す
る上記揺動角最大位置に位置する。次に、ガラス扉２０側の両ヒンジピン３７，４７を係
止している本体１０側の両係止プレート３５，４５を係止解除位置に回動保持し（作業す
る人が手で保持してもよいが、係止解除位置に回動保持する機構を設けることが好ましい
）、その状態で、ガラス扉２０側の両ヒンジピン３７，４７が本体１０側の両溝部内から
退出するように、ガラス扉２０を前方（本体１０から離れる方向）に移動させる。これに
より、上側ヒンジ機構３０及び下側ヒンジ機構４０によるガラス扉２０の本体１０に対す
るヒンジ結合が解除され、ガラス扉２０が本体１０から離脱される。
【００３６】
また、このとき同時に、ガラス扉２０側の両コネクタ部材６１，６２と、本体１０側の
両コネクタ部材５１，５２との電気接続も解除される。すなわち、ガラス扉２０側の両ヒ
ンジピン３７，４７を本体１０側の両溝部内からそれぞれ退出させる際に、ガラス扉２０
側の両コネクタ部材６１，６２が本体１０側の両コネクタ部材５１，５２内から離脱し始
め、さらに、両ヒンジピン３７，４７を本体１０側の両係止プレート３５，４５による係
止が解除される位置まで退出させることにより、ガラス扉２０側の両コネクタ部材６１，
６２と本体１０側の両コネクタ部材５１，５２との互いの嵌合が解除され、各々の端子が
互いに離間することにより電気接続が解除される。
【００３７】
このように、本実施形態のぱちんこ遊技機ＰＭ１によれば、本体１０に対するガラス扉
２０の着脱時に、本体１０とガラス扉２０との電気接続及び電気接続の解除が行われるの
で、ガラス扉２０の着脱時の作業性が良好となる。また、ガラス扉２０側の両コネクタ部
材６１，６２がヒンジ回動軸Ｃを中心として、ガラス扉２０に対して揺動可能となってい
ることにより、ガラス扉２０を本体１０に装着した状態においてガラス扉２０を開閉して
もガラス扉２０と本体１０との電気接続状態を維持することができる。
【００３８】
また、ガラス扉２０側の両コネクタ部材６１，６２が揺動保持部材６３により一体に保
持されて扉側コネクタ部材アッセンブリ６０を構成していることにより、両コネクタ部材
６１，６２を別々に揺動可能に軸支する構成の場合よりも、本体１０に対するガラス扉２
０の着脱がし易くなり、また、軸支部分やコネクタ部材の保持部分における強度の確保も
容易となる。
【００３９】
また、ガラス扉２０を本体１０に装着する際にガラス扉２０側の両ヒンジピン３７，４
７を、本体１０側の両第２ヒンジプレート３４，４４の各溝部内において、両係止プレー
ト３５，４５により係止される位置を超えてさらに奥へ押し込もうとしても、各溝部の奥
側の端部が両ヒンジピン３７，４７に当接してそれ以上の移動を阻止するようになってい
るので、ガラス扉２０側の両コネクタ部材６１，６２と本体１０側の両コネクタ部材５１
，５２との嵌合時に無理な力が作用することを防止することができる。
【００４０】
〈第２実施形態〉
次に、本発明の第２実施形態に係るぱちんこ遊技機ＰＭ２について、図１１及び図１２
を参照して説明する。上記第１実施形態のものと共通する部分については詳細な説明を省
略し、以下、主に特徴構成と作用について説明する。
【００４１】
図１１に示すように本実施形態のぱちんこ遊技機ＰＭ２は、外枠１１Ａ等から構成され
る本体１０Ａに対し、発射ハンドル３５０Ａ等が設けられたガラス扉２０Ａが、上下のヒ
ンジ機構（上側ヒンジ機構３０Ａのみを図示）を介して、着脱可能かつ揺動開閉可能に取
り付けられて構成されている。
【００４２】
上側ヒンジ機構３０Ａは、外枠１１Ａに固設された外枠上部ヒンジプレート３１Ａ及び
ガラス扉２０Ａに固設されたガラス扉上部ヒンジプレート３３Ａと、外枠上部ヒンジプレ
ート３１Ａとガラス扉上部ヒンジプレート３３Ａとを、ヒンジ回動軸を中心として相対的
に揺動可能に連結する上部ヒンジピン３８とを備えてなる（下側ヒンジ機構の構成も同様
である）。
【００４３】
図１２に示すようにガラス扉上部ヒンジプレート３３Ａには、ガラス扉２０Ａに対して
扉側コネクタ部材８０が、ヒンジ回動軸を中心として相対的に揺動可能に、詳しくは、ガ
ラス扉２０Ａに対する扉側コネクタ部材８０の揺動角度が最大となる、図１２に実線で示
す揺動角最大位置と、揺動角度が最小となる、図１２に２点鎖線で示す揺動角最小位置と
の間を揺動可能に、上部ヒンジピン３８を介して取り付けられている。
【００４４】
扉側コネクタ部材８０は、ガラス扉上部ヒンジプレート３３Ａに基端部が軸支された揺
動アーム８１と、揺動アーム８１の先端部に配設された扉側コネクタ基部８２とを有して
なり、扉側コネクタ基部８２は、ガラス扉２０Ａに配置された不図示のガラス扉側中継基
板に、ワイヤハーネス７３等を介して電気接続されている。揺動アーム８１は、矩形箱状
に形成されており、内部にワイヤハーネス７３を収容保持可能に構成されている。
【００４５】
一方、図１１に示すように、本体１０内部の左側縁上部には、ガラス扉２０Ａを本体１
０Ａに装着した状態において、上記扉側コネクタ部材８０（扉側コネクタ基部８２）と嵌
合して電気接続される本体側コネクタ部材９０が正面を向くように配置されており、本体
１０Ａに配置された不図示の本体側中継基板に、ワイヤハーネス７４等を介して電気接続
されている。また、本体側コネクタ部材９０の近傍には、本体１０Ａとガラス扉２０Ａと
を連結する際に本体１０内に進入する扉側コネクタ部材８０を本体側コネクタ部材９０に
導く、前後方向に延びたガイド９５が設けられている。
【００４６】
ガラス扉２０Ａを本体１０Ａに連結する場合には、まず、扉側コネクタ部材８０を、図
１２に実線で示す揺動角最大位置に保持する。次に、扉側コネクタ部材８０と本体側コネ
クタ部材９０とを対向させ、扉側コネクタ部材８０が本体１０Ａ側のガイド９５に導かれ
ながら本体１０内に進入するように、ガラス扉２０Ａを本体１０Ａに近づく方向（後方）
に移動させる。ガラス扉２０Ａの後方への移動は、本体１０Ａ側の上下のヒンジ部材と、
ガラス扉２０Ａ側の上下のヒンジ部材とが互いにヒンジ結合する位置に達するまで行い、
その位置においてガラス扉２０Ａの本体１０Ａに対するヒンジ結合が完了し、ガラス扉２
０Ａが本体１０Ａに連結される。また、このとき同時に、扉側コネクタ部材８０と本体側
コネクタ部材９０とが電気接続される。
【００４７】
一方、装着したガラス扉２０Ａを本体１０Ａから離脱する場合には、まず、ガラス扉２
０Ａを全開状態にする。このとき、扉側コネクタ部材８０は、ガラス扉Ａ２０に対する上
記揺動角最大位置に位置する。次に、上下のヒンジ機構におけるヒンジ結合を解除し、扉
側コネクタ部材８０が本体１０Ａ内から退出するように、ガラス扉２０を本体１０Ａから
離れる方向（前方）に移動させる。これにより、ガラス扉２０Ａが本体１０Ａから離脱さ
れる。また、このとき同時に、扉側コネクタ部材８０と本体側コネクタ部材９０との電気
接続も解除される。
【００４８】
このように、本実施形態のぱちんこ遊技機ＰＭ２によれば、本体１０Ａに対するガラス
扉２０Ａの着脱時に、本体１０Ａとガラス扉２０Ａとの電気接続及び電気接続の解除が行
われるので、ガラス扉２０Ａの着脱時の作業性が良好となる。また、ガラス扉２０Ａ側の
コネクタ部材８０がヒンジ回動軸を中心として、ガラス扉２０Ａに対して揺動可能となっ
ていることにより、ガラス扉２０Ａを本体１０Ａに装着した状態においてガラス扉２０Ａ
を開閉してもガラス扉２０Ａと本体１０Ａとの電気接続状態を維持することができる。
【００４９】
また、扉側コネクタ部材８０を揺動アーム８１と扉側コネクタ基部８２とから構成し、
揺動アーム８１内にワイヤハーネス７３を収容保持可能としたことにより、ワイヤハーネ
ス７３が外部に露出するように配される場合に比較して、ワイヤハーネス７３に断線等の
不具合が生じる可能性を低減することが可能となる。
【００５０】
さらには、本体１０Ａ側に、扉側コネクタ部材８０を本体側コネクタ部材９０に導くガ
イド９５を設けたことにより、扉側コネクタ部材８０と本体側コネクタ部材９０とを確実
に嵌合電気接続させることが可能となり、また、ガラス扉２０Ａの着脱時に、扉側コネク
タ部材８０の軸支部分等に無理な力が作用することを防止することができる。
【００５１】
〈変更態様〉
以上、本発明に係る実施形態を説明したが、本発明は上記実施形態に態様が限定される
ものではなく、適宜変更することが可能である。
例えば、上記各実施形態では、ガラス扉側に設けられるコネクタ部材がガラス扉に対し
て揺動可能に取り付けられているが、本体側に設けられるコネクタ部材を本体に対して揺
動可能に取り付けるようにしてもよい。具体的には、上記第１実施形態の扉側コネクタ部
材アッセンブリ６０と同様の構成を有する本体側コネクタ部材アッセンブリを構成し、こ
の本体側コネクタ部材アッセンブリを本体１０側に軸支するようにすることが可能である
。同様に上記第２実施形態の扉側コネクタ部材８０と同様の構成を有する本体側コネクタ
部材を構成し、この本体側コネクタ部材を本体１０Ａ側に軸支するようにすることも可能
である。このような構成とした場合、本体側コネクタ部材は、ガラス扉の相対的な揺動開
閉中は扉側コネクタ部材と共に扉と一体に揺動することになる。
【００５２】
また、上記第１実施形態では、２つの扉側コネクタ部材６１，６２を連結部材６３ｃ上
に配置しているが、１つまたは３つ以上の任意の数の扉側コネクタ部材を、連結部材６３
ｃ上の任意の位置に配置することも可能である。
【００５３】
また、上記第２実施形態では、扉側コネクタ部材が上側ヒンジ機構に取り付けられてい
るが、下側ヒンジ機構に扉側コネクタ部材を取り付けたり、上下のヒンジ機構にそれぞれ
扉側コネクタ部材を取り付けたりすることも可能である。
【００５４】
また、上記各実施形態では、上下のヒンジ機構によるヒンジ結合が略同時に行われるよ
うにガラス扉を垂直に立てた状態でまっすぐに本体側へ近づけて本体に装着するように構
成しているが、ガラス扉を少し斜めに立てた状態で上下のヒンジ機構のうちの一方（例え
ば、下側ヒンジ機構）のヒンジ結合を先に行い、そのヒンジ結合部分を揺動中心としてガ
ラス扉を垂直に立てるように揺動させて、他方のヒンジ機構（例えば、上側ヒンジ機構）
のヒンジ結合を後から行うように構成してもよい。
【００５５】
また、本体側コネクタ部材と扉側コネクタ部材とが嵌合電気接続する時に本体側コネク
タ部材及び扉側コネクタ部材を相対的に係止して、本体側コネクタ部材と扉側コネクタ部
材との相対的な移動を規制する移動ロック機構を備えるようにしてもよい。このような移
動ロック機構を備えることにより、本体側コネクタ部材と扉側コネクタ部材との嵌合時に
これらのコネクタ部材の端子部に無理な力が作用することを防止したり、これらのコネク
タ部材が相対的に位置ずれすることを防止したりすることができる。
【００５６】
また、本体とガラス扉とを連結する際に、扉側コネクタ部材を揺動可能範囲内の所定位
置に係止する揺動ロック機構を備えるようにしてもよい。このような揺動ロック機構を備
えることにより、ガラス扉を本体へ装着する際の扉側コネクタ部材を所定位置に固定する
ことが可能となるので、ガラス扉の装着時の作業性をより向上させることができる。
【００５７】
また、本発明は、ぱちんこ遊技機に適用が限定されるものではなく、ぱちんこ遊技機以
外の遊技機、例えばスロットマシンにも適用することが可能である。
【符号の説明】
【００５８】
ＰＭ１，ＰＭ２  ぱちんこ遊技機
１０，１０Ａ  本体
１１，１１Ａ  外枠
１２  前枠
２０，２０Ａ  ガラス扉
３０，３０Ａ  上側ヒンジ機構
４０  下側ヒンジ機構
５１  本体側上部コネクタ部材
５２  本体側下部コネクタ部材
６０  扉側コネクタ部材アッセンブリ
６１  扉側上部コネクタ部材
６２  扉側下部コネクタ部材
７１〜７３  ワイヤハーネス
８０  扉側コネクタ部材
９０  本体側コネクタ部材
【図１】
2014155665.tif 000003
【図２】
2014155665.tif 000004
【図３】
2014155665.tif 000005
【図４】
2014155665.tif 000006
【図５】
2014155665.tif 000007
【図６】
2014155665.tif 000008
【図７】
2014155665.tif 000009
【図８】
2014155665.tif 000010
【図９】
2014155665.tif 000011
【図１０】
2014155665.tif 000012
【図１１】
2014155665.tif 000013
【図１２】
2014155665.tif 000014